(57)【特許請求の範囲】
【請求項１】
電力の充放電が可能な蓄電装置との間で移動体通信網を介して通信を行う移動体通信部と、
前記移動体通信網を介して前記蓄電装置から送信された、当該蓄電装置の設置位置に関する位置情報及び当該蓄電装置の動作状況を表す動作状況情報を含む蓄電装置情報を取得する情報取得部と、
前記情報取得部が取得した前記蓄電装置情報を、当該蓄電装置情報を取得した日時を表す日時情報と関連付けて管理する情報管理部と、
ユーザの操作する操作端末からの情報開示要求に応じて、管理している前記蓄電装置情報を要求のあった前記操作端末へ提供する情報提供部と、
前記操作端末におけるユーザ操作に応じて生成された、蓄電装置に対する動作設定を変更するための設定情報を取得する設定情報取得部と、
前記設定情報取得部により取得された前記設定情報に基づいて、前記蓄電装置に対して送信される、当該蓄電装置の動作制御を行うための制御情報を生成する制御情報生成部と、を備え、
前記蓄電装置との間で確立される前記移動体通信網を介した接続は、前記蓄電装置側からイニシエートされたものであり、
前記制御情報は、蓄電装置が前記蓄電装置情報を送信するために確立する前記移動体通信網を介した接続を利用して、該当する前記蓄電装置へと送信される、情報処理装置。
【請求項２】
前記蓄電装置情報は、前記蓄電装置が前に前記蓄電装置情報を送信した時から所定の時間が経過した場合、前記蓄電装置の動作状況が変更になった場合、又は、前記蓄電装置に所定の事態が発生した場合に、前記蓄電装置から送信される、請求項１に記載の情報処理装置。
【請求項３】
前記情報提供部は、前記操作端末に対して、前記蓄電装置で設定されている動作設定に関する情報を提供する、請求項２に記載の情報処理装置。
【請求項４】
電力の充放電が可能な蓄電装置から送信された、当該蓄電装置の設置位置に関する位置情報及び当該蓄電装置の動作状況を表す動作状況情報を含む蓄電装置情報を、移動体通信網を介して取得するステップと、
取得した前記蓄電装置情報を、当該蓄電装置情報を取得した日時を表す日時情報と関連付けて管理するステップと、
ユーザの操作する操作端末からの情報開示要求に応じて、管理している前記蓄電装置情報を要求のあった前記操作端末へ提供するステップと、
前記操作端末におけるユーザ操作に応じて生成された、蓄電装置に対する動作設定を変更するための設定情報を取得するステップと、
取得した前記設定情報に基づいて、前記蓄電装置に対して送信される、当該蓄電装置の動作制御を行うための制御情報を生成するステップと、
を含み、
前記蓄電装置との間で確立される前記移動体通信網を介した接続は、前記蓄電装置側からイニシエートされたものであり、
前記制御情報は、蓄電装置が前記蓄電装置情報を送信するために確立する前記移動体通信網を介した接続を利用して、該当する前記蓄電装置へと送信される、情報処理方法。
【請求項５】
コンピュータに、
電力の充放電が可能な蓄電装置との間で移動体通信網を介して通信を行う移動体通信機能と、
前記移動体通信網を介して前記蓄電装置から送信された、当該蓄電装置の設置位置に関する位置情報及び当該蓄電装置の動作状況を表す動作状況情報を含む蓄電装置情報を取得する情報取得機能と、
前記情報取得機能により取得された前記蓄電装置情報を、当該蓄電装置情報を取得した日時を表す日時情報と関連付けて管理する情報管理機能と、
ユーザの操作する操作端末からの情報開示要求に応じて、管理している前記蓄電装置情報を要求のあった前記操作端末へ提供する情報提供機能と、
前記操作端末におけるユーザ操作に応じて生成された、蓄電装置に対する動作設定を変更するための設定情報を取得する設定情報取得機能と、
前記設定情報取得機能により取得された前記設定情報に基づいて、前記蓄電装置に対して送信される、当該蓄電装置の動作制御を行うための制御情報を生成する制御情報生成機能と、
を実現させ、
前記蓄電装置との間で確立される前記移動体通信網を介した接続は、前記蓄電装置側からイニシエートされたものであり、
前記制御情報を、蓄電装置が前記蓄電装置情報を送信するために確立する前記移動体通信網を介した接続を利用して、該当する前記蓄電装置へと送信する、プログラム。
【請求項６】
電力の充放電が可能なバッテリーと、
ＧＰＳから送信されるデータを取得するＧＰＳデータ取得部と、
前記ＧＰＳデータ取得部により取得されたＧＰＳデータと、前記バッテリーの動作状況を表す動作状況情報とを少なくとも含む装置情報を生成する装置情報生成部と、
前記装置情報生成部により生成された前記装置情報を、移動体通信網を介して送信する移動体通信部と、
を備える蓄電装置と、
前記蓄電装置との間で移動体通信網を介して通信を行う移動体通信部と、
前記移動体通信網を介して前記蓄電装置から送信された前記装置情報を取得する情報取得部と、
前記情報取得部が取得した前記装置情報を、当該装置情報を取得した日時を表す日時情報と関連付けて管理する情報管理部と、
ユーザの操作する操作端末からの情報開示要求に応じて、管理している前記装置情報を要求のあった前記操作端末へ提供する情報提供部と、
前記操作端末におけるユーザ操作に応じて生成された、蓄電装置に対する動作設定を変更するための設定情報を取得する設定情報取得部と、
前記設定情報取得部により取得された前記設定情報に基づいて、前記蓄電装置に対して送信される、当該蓄電装置の動作制御を行うための制御情報を生成する制御情報生成部と、を備え、
前記蓄電装置との間で確立される前記移動体通信網を介した接続は、前記蓄電装置側からイニシエートされたものであり、
前記制御情報は、蓄電装置が前記装置情報を送信するために確立する前記移動体通信網を介した接続を利用して、該当する前記蓄電装置へと送信される情報処理装置と、
を含む、蓄電装置管理システム。
【発明の詳細な説明】
【技術分野】
【０００１】
本発明は、情報処理装置、情報処理方法、プログラム及び蓄電装置管理システムに関する。
【背景技術】
【０００２】
近年、スマートグリッドと呼ばれる技術に注目が集まっている。このスマートグリッドとは、送電網に通信路を併せ持つ新たな送電網を構築し、このインテリジェントな送電網を利用して効率的な電力利用を実現するための技術的な枠組みのことを言う。スマートグリッド構想の背景には、電力使用量の効率的な管理、事故発生時の迅速対応、使用電力量の遠隔制御、電力会社の管理外にある発電設備を用いた分散発電、電動移動体の充電管理等を実現したいという要望がある。特に、一般家庭や電力会社以外の事業者による再生可能エネルギーを用いた自家発電設備の有効利用、及び電気自動車に代表される種々の電動移動体の充電管理には大きな注目が集まっている。なお、再生可能エネルギーとは、化石燃料を用いずに生成されるエネルギーのことである。
【０００３】
一般家庭や電力以外の事業者により発電された電力は、発電者自身が利用する。また、発電者自身が利用した後で余った電力は、現在、電力会社が買電している。しかし、電力会社にとって、管理外の発電設備から供給される電力を買電することは大きな負担となっている。例えば、太陽光発電設備から供給される電力量は天候に左右される。また、一般家庭の自家発電設備から供給される電力量は日毎に大きく変化する一般家庭の電力使用量に左右される。そのため、電力会社が管理外の発電設備から安定した電力供給を受けることは難しい。こうした理由から、将来、電力会社による買電が難しくなる可能性がある。
【０００４】
そこで、最近は、電力会社の管理外にある発電設備で発電された電力を一旦バッテリーに蓄電して利用するホームバッテリー構想に注目が集まっている。例えば、太陽光発電設備で発電した電力をバッテリーに蓄電しておき、夜間や天候不良の際に不足分をバッテリーから補うといった利用方法が考案されている。さらに、バッテリーの蓄電量に応じて電力会社から給電を受ける電力量を制限したり、価格の安い夜間に電力会社から電力供給を受けてバッテリーに蓄電し、価格の高い昼間にバッテリーに蓄電した電力を利用したりする方法等が考案されている。また、バッテリーは直流のまま電力を蓄えることができるため、送電の際に行われるＤＣ／ＡＣ変換、ＡＣ／ＤＣ変換が不要になり、変換時のロスを削減できる。
【０００５】
このように、スマートグリッド構想の中で電力管理に関する様々な思惑が交錯している。こうした電力管理を実現するため、スマートグリッド構想の中では送電網に通信路を併せ持つことが前提とされている。つまり、このインテリジェントな送電網を利用して電力管理に関する情報をやり取りすることが想定されているのである（例えば、以下の特許文献１を参照。）。但し、通信インフラが既に整備されている地域においては、送電網を通信路として用いず、既に敷設されている通信インフラで構築されたネットワークを利用して電力管理に関する情報のやり取りが行われてもよい。つまり、スマートグリッド構想において重要なのは、一元管理されていない発電設備及び蓄電設備を如何にして効率よく管理するかということである。
【先行技術文献】
【特許文献】
【０００６】
【特許文献１】特開２００２−３５４５６０号公報
【発明の概要】
【発明が解決しようとする課題】
【０００７】
以上説明したようなスマートグリッド構想において、蓄電装置の蓄電状態を含む様々な情報を効率よく収集するとともに、収集した情報をユーザに対してわかりやすく提供することは、極めて重要な事項である。しかしながら、そのような方法は、未だ提案されていなかった。
【０００８】
そこで、本発明は、上記問題に鑑みてなされたものであり、本発明の目的とするところは、蓄電装置の蓄電状態を含む様々な情報を効率よく収集するとともに、収集した情報をユーザに対してわかりやすく提供することが可能な、情報処理装置、情報処理方法、プログラム及び蓄電装置管理システムを提供することにある。
【課題を解決するための手段】
【０００９】
上記課題を解決するために、本発明のある観点によれば、電力の充放電が可能な蓄電装置との間で移動体通信網を介して通信を行う移動体通信部と、前記移動体通信網を介して前記蓄電装置から送信された、当該蓄電装置の設置位置に関する位置情報及び当該蓄電装置の動作状況を表す動作状況情報を含む蓄電装置情報を取得する情報取得部と、前記情報取得部が取得した前記蓄電装置情報を、当該蓄電装置情報を取得した日時を表す日時情報と関連付けて管理する情報管理部と、ユーザの操作する操作端末からの情報開示要求に応じて、管理している前記蓄電装置情報を要求のあった前記操作端末へ提供する情報提供部と、を備える情報処理装置が提供される。
【００１０】
前記蓄電装置情報は、前記蓄電装置が前に前記蓄電装置情報を送信した時から所定の時間が経過した場合、前記蓄電装置の動作状況が変更になった場合、又は、前記蓄電装置に所定の事態が発生した場合に、前記蓄電装置から送信されてもよい。
【００１１】
前記情報提供部は、前記操作端末に対して、前記蓄電装置で設定されている動作設定に関する情報を提供し、前記情報処理装置は、前記操作端末におけるユーザ操作に応じて生成された、蓄電装置に対する動作設定を変更するための設定情報を取得する設定情報取得部と、前記設定情報取得部により取得された前記設定情報に基づいて、前記蓄電装置に対して送信される、当該蓄電装置の動作制御を行うための制御情報を生成する制御情報生成部と、を更に備えてもよい。
【００１２】
前記制御情報は、蓄電装置が前記蓄電装置情報を送信するために確立する前記移動体通信網を介した接続を利用して、該当する前記蓄電装置へと送信されてもよい。
【００１３】
前記蓄電装置との間で確立される前記移動体通信網を介した接続は、前記蓄電装置側からイニシエートされたものであってもよい。
【００１４】
また、上記課題を解決するために、本発明の別の観点によれば、電力の充放電が可能な蓄電装置から送信された、当該蓄電装置の設置位置に関する位置情報及び当該蓄電装置の動作状況を表す動作状況情報を含む蓄電装置情報を、移動体通信網を介して取得するステップと、取得した前記蓄電装置情報を、当該蓄電装置情報を取得した日時を表す日時情報と関連付けて管理するステップと、ユーザの操作する操作端末からの情報開示要求に応じて、管理している前記蓄電装置情報を要求のあった前記操作端末へ提供するステップと、を含む情報処理方法が提供される。
【００１５】
また、上記課題を解決するために、本発明の更に別の観点によれば、コンピュータに、電力の充放電が可能な蓄電装置との間で移動体通信網を介して通信を行う移動体通信機能と、前記移動体通信網を介して前記蓄電装置から送信された、当該蓄電装置の設置位置に関する位置情報及び当該蓄電装置の動作状況を表す動作状況情報を含む蓄電装置情報を取得する情報取得機能と、前記情報取得機能により取得された前記蓄電装置情報を、当該蓄電装置情報を取得した日時を表す日時情報と関連付けて管理する情報管理機能と、ユーザの操作する操作端末からの情報開示要求に応じて、管理している前記蓄電装置情報を要求のあった前記操作端末へ提供する情報提供機能と、を実現させるためのプログラムが提供される。
【００１６】
また、上記課題を解決するために、本発明の更に別の観点によれば、電力の充放電が可能なバッテリーと、ＧＰＳから送信されるデータを取得するＧＰＳデータ取得部と、前記ＧＰＳデータ取得部により取得されたＧＰＳデータと、前記バッテリーの動作状況を表す動作状況情報とを少なくとも含む装置情報を生成する装置情報生成部と、前記装置情報生成部により生成された前記装置情報を、移動体通信網を介して送信する移動体通信部と、を備える蓄電装置と、前記蓄電装置との間で移動体通信網を介して通信を行う移動体通信部と、前記移動体通信網を介して前記蓄電装置から送信された前記装置情報を取得する情報取得部と、前記情報取得部が取得した前記装置情報を、当該装置情報を取得した日時を表す日時情報と関連付けて管理する情報管理部と、ユーザの操作する操作端末からの情報開示要求に応じて、管理している前記装置情報を要求のあった前記操作端末へ提供する情報提供部と、を備える情報処理装置と、を含む蓄電装置管理システムが提供される。
【発明の効果】
【００１７】
以上説明したように本発明によれば、蓄電装置の蓄電状態を含む様々な情報を効率よく収集するとともに、収集した情報をユーザに対してわかりやすく提供することが可能である。
【図面の簡単な説明】
【００１８】
【図１】本発明の第１の実施形態に係る蓄電装置管理システムの構成を示した説明図である。
【図２】同実施形態に係る情報処理装置の構成を示したブロック図である。
【図３】同実施形態に係る登録部の構成を示したブロック図である。
【図４】ユーザ情報の項目の一例を示した説明図である。
【図５】登録機器情報の項目の一例を示した説明図である。
【図６】同実施形態に係る蓄電装置管理部の構成を示したブロック図である。
【図７】ログ情報の項目の一例を示した説明図である。
【図８】同実施形態に係る蓄電装置の構成の一例を示したブロック図である。
【図９】同実施形態に係る情報処理方法の流れを示した流れ図である。
【図１０】同実施形態に係る情報提供画面の一例を示した説明図である。
【図１１】同実施形態に係る情報提供画面の一例を示した説明図である。
【図１２】同実施形態に係る情報提供画面の一例を示した説明図である。
【図１３】同実施形態に係る情報提供画面の一例を示した説明図である。
【図１４】同実施形態に係る情報提供画面の一例を示した説明図である。
【図１５】同実施形態に係る情報提供画面の一例を示した説明図である。
【図１６】本発明の実施形態に係る情報処理装置のハードウェア構成を示したブロック図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
なお、説明は、以下の順序で行うものとする。
（１）第１の実施形態
（１−１）蓄電装置管理システムについて
（１−２）情報処理装置の構成について
（１−３）蓄電装置の構成について
（１−４）情報処理方法について
（１−５）情報提供画面の一例について
（２）本発明の実施形態に係る情報処理装置のハードウェア構成について
【００２１】
（第１の実施形態）
＜蓄電装置管理システムの構成について＞
まず、図１を参照しながら、本発明の第１の実施形態に係る蓄電装置管理システムの構成について説明する。図１は、本実施形態に係る蓄電装置管理システムの構成を示した説明図である。
【００２２】
本実施形態に係る蓄電装置管理システム１は、図１に示したように、移動体通信網３によって互いに接続された情報処理装置１０と、１又は複数の蓄電装置２０と、を含む。また、情報処理装置１０と蓄電装置２０との間で行われる移動体通信を、中継サーバ５が中継を行ってもよい。また、情報処理装置１０は、通信網７を介して、ユーザが所持するユーザ操作端末９と相互に通信を行うことが可能である。
【００２３】
以下、本実施形態に係る蓄電装置管理システム１に含まれる各要素について、簡単に説明する。
【００２４】
移動体通信網３は、本実施形態に係る情報処理装置１０と蓄電装置２０との間を移動体通信（ｍｏｂｉｌｅ  ｃｏｍｍｕｎｉｃａｔｉｏｎ）により相互に通信可能なように接続するデジタル携帯電話通信網である。このようなデジタル携帯電話通信網の通話方式は、特に限定されるわけではないが、本実施形態に係る蓄電装置管理システム１を設置する地域の通信事情に応じて設定することが好ましい。
【００２５】
例えば、本実施形態に係る蓄電装置管理システム１を、全世界的に張り巡らせる場合には、世界中の国や地域で利用可能なデジタル携帯電話通信網を利用することが好ましい。このようなデジタル携帯電話通信網の一つとして、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）を挙げることができる。
【００２６】
また、本実施形態に係る蓄電装置管理システム１を、通信速度が速く、周波数帯域利用効率に優れた、いわゆる第三世代携帯電話通話方式を利用可能な国や地域に設置する場合には、このような通話方式を利用してもよい。
【００２７】
中継サーバ５は、情報処理装置１０と蓄電装置２０との間で行われる移動体通信網３を介した通信を中継するサーバである。このような中継サーバ５の例として、例えば、移動体通信網３を提供する電気通信事業者が所有するサーバを挙げることができる。この中継サーバ５は、必要に応じて、本実施形態に係る蓄電装置管理システム１に適宜設けることが可能である。
【００２８】
通信網７は、ユーザが所持している各種のユーザ操作端末９と、本実施形態に係る情報処理装置１０とを互いに双方向通信可能に接続する通信回線網である。この通信網７は、例えば、インターネット、電話回線網、衛星通信網、同報通信路等の公衆回線網や、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）、Ｅｔｈｅｒｎｅｔ（登録商標）、ワイヤレスＬＡＮ等の専用回線網などで構成されており、有線／無線を問わない。また、この通信網７には、上記中継サーバ５が接続されていてもよい。
【００２９】
ユーザ操作端末９は、本実施形態に係る蓄電装置管理システム１を利用するユーザが所持する各種の情報端末である。このような情報端末として、例えば、パーソナルコンピュータ、テレビ、ＤＶＤレコーダやＢｌｕ−Ｒａｙレコーダ等の各種レコーダ、カーナビゲーションシステム及び情報家電を挙げることができる。また、ユーザ操作端末９は、携帯電話やＰＤＡやいわゆるスマートフォンなどの各種通信機器、携帯音楽プレーヤ等の携帯コンテンツ再生機器、タッチパネル等を備えた情報携帯端末等であってもよい。
【００３０】
ユーザは、上述のような各種の操作端末を操作して本実施形態に係る情報処理装置１０に接続して、システム１に登録されている蓄電装置２０に関する各種の情報を閲覧することが可能である。また、ユーザは、上述のような各種の操作端末を操作して、本実施形態に係る情報処理装置１０を介して、所定の蓄電装置２０の動作制御を行うことも可能である。
【００３１】
情報処理装置１０は、蓄電装置２０から送信された蓄電装置２０の動作状態を表すログ情報を取得及び管理するとともに、ユーザ操作端末９からの要請に応じて、管理している蓄電装置に関する各種の情報を、ユーザ操作端末９に対して提供する。換言すれば、本実施形態に係る情報処理装置１０は、蓄電装置２０を管理する蓄電装置管理サーバであり、また、ユーザ操作端末９に対して蓄電装置２０に関する情報を提供する情報提供サーバであるといえる。
【００３２】
また、情報処理装置１０は、通信網７に接続されている検索サーバや情報提供サーバなどの各種のサーバに対して、管理している蓄電装置２０に関する各種の情報を提供することが可能である。また、通信網７に接続されている検索サーバや情報提供サーバ等が、本実施形態に係る情報処理装置１０の機能を有していてもよい。
【００３３】
本実施形態に係る情報処理装置１０の構成については、以下で改めて詳細に説明する。
【００３４】
蓄電装置２０は、発電装置３０や電力供給網４０から取得した電力を蓄電したり、蓄電している電力を、電力を利用する各種の機器へと給電したりすることが可能な、バッテリーを備えた装置である。また、蓄電装置２０は、余剰な電力を保持している場合には、この余剰電力を、電力供給網４０を介して電力供給会社へと販売することもできる。
【００３５】
本実施形態に係る蓄電装置２０は、移動体通信網３を利用した通信を行うことが可能な機能を有している。また、本実施形態に係る蓄電装置２０は、ＧＰＳ（Ｇｌｏｂａｌ  Ｐｏｓｉｔｉｏｎｉｎｇ  Ｓｙｓｔｅｍ）から出力されるＧＧＡ、ＲＭＣ等のデータを取得して、自装置が設置されている設置位置を特定することができる。以下で説明するように、本実施形態に係る蓄電装置２０は、ＧＰＳデータと、蓄電装置２０の状態を示した各種情報とを含むログ情報を、移動体通信網３を介して、本実施形態に係る情報処理装置１０へと送信する。
【００３６】
本実施形態に係る蓄電装置２０の構成については、以下で改めて説明する。
【００３７】
発電装置３０は、再生可能エネルギーを利用して発電する発電手段である。このような再生可能エネルギーを利用した発電手段として、例えば、太陽光発電装置、風力発電装置、地熱発電装置、水力発電装置、波力発電装置等を挙げることができる。また発電装置３０は、ガソリンや石炭等を燃焼させ、その燃焼を利用して発電する火力発電等に比べて環境負荷の低い再生不可能エネルギーを利用して発電する発電手段であってもよい。このような発電手段として、例えば、燃料電池、天然ガス発電装置、バイオマス発電装置等を挙げることができる。
【００３８】
電力供給網４０は、電力供給会社の所持する設備により発電された電力が供給される電力供給設備である。
【００３９】
以上、本実施形態に係る蓄電装置管理システム１の構成について簡単に説明した。
【００４０】
＜情報処理装置の構成について＞
次に、図２〜図７を参照しながら、本実施形態に係る情報処理装置１０の構成について、詳細に説明する。以下では、まず図２を参照しながら、本実施形態に係る情報処理装置１０の全体的な構成について説明する。図２は、本実施形態に係る情報処理装置１０の構成を示したブロック図である。
【００４１】
本実施形態に係る情報処理装置１０は、図２に示したように、移動体通信部１０１と、通信部１０３と、登録部１０５と、蓄電装置管理部１０７と、設定情報取得部１０９と、記憶部１１１と、を主に備える。
【００４２】
移動体通信部１０１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、移動体通信網３と通信するためのモデム等により実現される。移動体通信部１０１は、情報処理装置１０と蓄電装置２０との間で行われる移動体通信網３を介した通信を制御する。本実施形態に係る情報処理装置１０が備える各処理部は、蓄電装置２０との間で情報のやりとりを行う場合、移動体通信部１０１を介して情報の送受信を行う。
【００４３】
通信部１０３は、例えば、ＣＰＵ、ＲＯＭ、ＲＡＭ、通信装置等により実現される。通信部１０３は、情報処理装置１０とユーザ操作端末９との間で行われる通信網７を介した通信を制御する。本実施形態に係る情報処理装置１０が備える各処理部は、ユーザ操作端末との間で情報のやりとりを行う場合、通信部１０３を介して情報の送受信を行う。また、情報処理装置１０の各処理部は、インターネット等の通信網７を介して、通信網７に接続されている各種サーバ等の他の装置と情報の送受信を行う場合、通信部１０３を介して情報の送受信を行う。
【００４４】
登録部１０５は、例えば、ＣＰＵ、ＲＯＭ、ＲＡＭ等により実現される。登録部１０５は、本実施形態に係る情報処理装置１０が提供する蓄電装置２０の管理機能を利用するユーザと、当該ユーザが所持する蓄電装置２０そのものを登録する。
【００４５】
図３は、本実施形態に係る登録部１０５の構成を示したブロック図である。図３に示したように、登録部１０５は、ユーザ登録部１２１と、蓄電装置登録部１２３と、を更に備える。
【００４６】
ユーザ登録部１２１は、例えば、ＣＰＵ、ＲＯＭ、ＲＡＭ等により実現される。ユーザ登録部１２１は、ユーザがユーザ操作端末９を操作して、情報処理装置１０に対して蓄電装置２０の管理サービスへの加入を要請した場合、かかるユーザに関する情報を、後述する記憶部１１１に格納されているデータベースに登録する。この際、ユーザ登録部１２１は、ユーザそれぞれに対して各ユーザに固有のユーザＩＤを付与し、ユーザに関する各種の情報（以下、ユーザ情報とも称する。）を管理する。
【００４７】
図４は、ユーザ登録部１２１がユーザ情報として記憶部１１１のデータベースに登録する内容の一例を示した説明図である。図４に示したように、ユーザ登録部１２１は、ユーザ名、ユーザＩＤ、パスワード、ユーザのＥメールアドレスや居住地に関するアドレス情報、緊急連絡先等を、ユーザ情報として登録する。また、ユーザ登録部１２１は、ユーザ情報として、各ユーザに対して許可されている権限に関する情報を記載することも可能である。これにより、どの蓄電装置に対してどのような処理まで実行することができるのか、というユーザに与えられた権限を、本実施形態に係る情報処理装置１０が備える各処理部が容易に把握することが可能となる。なお、図４に示したユーザ情報の項目はあくまでも一例であって、図４に示した以外の情報がユーザ情報として登録されてもよく、図４に示した情報のいずれかが存在しなくともよい。
【００４８】
なお、ユーザ登録部１２１は、ユーザ登録を行う場合に、公知の暗号技術やデジタル署名技術等を利用して、ユーザの正当性を担保するための暗号鍵やデジタル署名等といった各種のデータを、ユーザが所持するユーザ操作端末９に対して発行しても良い。
【００４９】
また、本実施形態に係る情報処理装置１０が、通信網７に接続されている検索サーバ等の公共サーバと連携可能である場合には、公共サーバに登録されているユーザ情報を、本実施形態に係る情報処理装置１０のユーザ情報として利用することも可能である。
【００５０】
蓄電装置登録部１２３は、例えば、ＣＰＵ、ＲＯＭ、ＲＡＭ等により実現される。蓄電装置登録部１２３は、本実施形態に係る蓄電装置管理システム１に新たに接続された蓄電装置２０が存在する場合に、かかる蓄電装置２０に関する情報を、後述する記憶部１１１に格納されているデータベースに登録する。この際、蓄電装置登録部１２３は、蓄電装置それぞれに対して各蓄電装置に固有のＩＤを付与し、蓄電装置に関する各種の情報（以下、登録機器情報とも称する。）を管理する。
【００５１】
蓄電装置登録部１２３が新たにシステムに接続された蓄電装置２０を登録する流れについては特に限定されるわけではないが、蓄電装置登録部１２３は、例えば以下のような流れで、蓄電装置２０を登録してもよい。以下では、図５を参照しながら、蓄電装置の登録処理の流れの一例について、簡単に説明する。図５は、登録機器情報の一例を示した説明図である。
【００５２】
新たな蓄電装置２０が本実施形態に係る蓄電装置管理システム１に接続されると、接続された蓄電装置２０は、移動体通信網３を介して、情報処理装置１０に対して、少なくとも以下のような情報を含む登録情報を送信する。
【００５３】
・蓄電装置２０の設置位置を表すＧＰＳデータ
・蓄電装置２０そのものに関するメタデータ（例えば、型番名、メーカー名、搭載機能名等の蓄電装置を特徴づける情報）
【００５４】
蓄電装置登録部１２３は、移動体通信部１０１を介して上記登録情報を取得すると、取得した登録情報を登録機器情報としてデータベースに登録する。また、蓄電装置登録部１２３は、別途ユーザ操作端末９に対してメッセージを送信するなどして、システムに新たに接続された蓄電装置２０とユーザとの関連付けを行う。これにより、図５に示したような登録機器情報が生成されることとなる。
【００５５】
図５に示した登録機器情報では、ユーザＩＤごとに、そのユーザＩＤに関連付けられた蓄電装置２０に関する各種の情報が記載されている。図５に示した登録機器情報では、蓄電装置２０に関する情報として、登録機器名、登録機器ＩＤ、製造メーカー、機器状態に関する情報等が登録されている。ここで、機器状態に関する情報には、蓄電装置２０の設置位置に関する位置情報や、蓄電装置２０の動作設定情報や動作状況情報を含む蓄電装置情報等が反映された情報が記載される。この機器状態に関する情報は、蓄電装置２０から当該蓄電装置２０の動作状態等を表すログ情報が送信されると、ログ情報の内容に応じて記載される内容が更新されていく。
【００５６】
なお、図５に示した登録機器情報は、ユーザＩＤごとに蓄電装置２０が関連付けられた形式となっているが、本実施形態に係る登録機器情報は、かかる例に限定されるわけではない。本実施形態に係る登録機器情報は、例えば、蓄電装置ごとに、その蓄電装置を所持（または管理）しているユーザに関するユーザＩＤが記載されたものであってもよい。
【００５７】
なお、蓄電装置登録部１２３は、新たな蓄電装置２０が登録された場合、公知の暗号技術やデジタル署名技術等を利用して、蓄電装置の正当性を担保するための暗号鍵やデジタル署名といった各種データを、新たに登録された蓄電装置２０に対して発行しても良い。
【００５８】
以上、本実施形態に係る登録部１０５について説明した。以下では再び図２に戻って、本実施形態に係る情報処理装置１０が備える蓄電装置管理部１０７について、詳細に説明する。
【００５９】
蓄電装置管理部１０７は、例えば、ＣＰＵ、ＲＯＭ、ＲＡＭ等により実現される。蓄電装置管理部１０７は、移動体通信網３を介して蓄電装置２０から取得した各種の情報に基づいて、蓄電装置２０を管理する処理部である。換言すれば、蓄電装置管理部１０７は、情報処理装置１０に登録されている蓄電装置２０を管理するために、各種の機能を実施する処理部であるといえる。
【００６０】
図６は、本実施形態に係る蓄電装置管理部１０７の構成を示したブロック図である。図６に示したように、本実施形態に係る蓄電装置管理部１０７は、ログ情報取得部１３１と、情報管理部１３３と、情報提供部１３５と、制御情報生成部１３７と、を更に備える。
【００６１】
情報取得部の一例であるログ情報取得部１３１は、例えば、ＣＰＵ、ＲＯＭ、ＲＡＭ等により実現される。ログ情報取得部１３１は、移動体通信部１０１が受信した蓄電装置から送信された蓄電装置情報を取得する。この蓄電装置情報は、蓄電装置２０の設置位置や動作状況の経過を示したログ情報である。このようなログ情報は、例えば以下のようなタイミングで、蓄電装置２０の側から確立された移動体通信網３を介した通信により、情報処理装置１０へと送信される。
【００６２】
ログ情報が送信されるタイミング（システムに新たに接続された場合を除く）
・１時間、１日、１週間、１カ月など、所定の期間が経過する毎
・蓄電装置の動作モード（蓄電状態、放電状態、停止状態など）が変化する毎
・不測の事態が生じた場合（例えば、予期しない位置情報の変化や、バッテリーの故障などの緊急事態が生じた場合など）
【００６３】
また、上記の場合に加えて、以下のような場合にも、蓄電装置２０から情報処理装置１０に対して、ログ情報が送信されてもよい。
【００６４】
・ユーザが蓄電装置２０に対して、移動体通信網３を介してショートメッセージや電話を発信したとき
・情報処理装置１０に設けられたモデム等から蓄電装置２０に対して、移動体通信網３を介してショートメッセージや電話が発信されたとき
・情報処理装置１０が中継サーバ５に対して、通信網７を介してＥメール等を発信したとき
【００６５】
蓄電装置２０から送信される蓄電装置情報（以下、ログ情報とも称する。）の一例を、図７に示した。図７は、ログ情報の一例を示した説明図である。図７に示したように、蓄電装置２０から送信されるログ情報には、蓄電装置の機器ＩＤ、蓄電装置を特徴づける各種メタデータ、設置位置を表すＧＰＳデータ、稼働時間、動作状態、動作モード、搭載されている機能に関する情報などが含まれる。また、これらの情報以外にも、バッテリー形式、蓄電量に関する情報、充電電圧、充電電流等に関する情報や、蓄電装置２０の各種設定に関する情報等が含まれていてもよい。なお、図７に例示したログ情報の項目はあくまでも一例であって、かかる例に限定されるわけではない。
【００６６】
ログ情報取得部１３１は、図７に例示したようなログ情報を取得すると、ログ情報を取得した日時に関する履歴情報を記憶部１１１等のデータベースに格納したうえで、取得したログ情報を、後述する情報管理部１３３に出力する。
【００６７】
情報管理部１３３は、例えば、ＣＰＵ、ＲＯＭ、ＲＡＭ等により実現される。情報管理部１３３は、ログ情報取得部１３１の取得したログ情報を参照して、記憶部１１１に登録されているデータベース（より詳細には、登録機器情報）の内容を管理する。この際、情報管理部１３３は、ログ情報を取得した日時を表す日時情報と関連付けて、データベースの内容の管理を行う。これにより、情報管理部１３３は、登録機器情報に記載されている内容の経時的な変化を把握することが可能となり、蓄電装置２０の状態の経時的な変化を示した情報を、必要に応じてユーザに提供することが可能となる。
【００６８】
情報提供部１３５は、例えば、ＣＰＵ、ＲＯＭ、ＲＡＭ等により実現される。情報提供部１３５は、ユーザの操作するユーザ操作端末９からの情報開示要求に応じて、管理している登録機器情報を、要求のあったユーザ操作端末９へと提供する。
【００６９】
情報提供部１３５がユーザ操作端末９に提供する情報は、適宜設定すればよいが、例えば、蓄電装置２０の動作状況を図示したものや、蓄電装置２０の所在位置を地図上に図示したものや、蓄電装置２０の設定条件等を提供することができる。なお、ＧＰＳデータを利用して蓄電装置２０の所在位置を地図上に図示することができるため、蓄電装置２０が盗難にあった場合、その所在位置や移動経路を地図上に図示することも可能となる。
【００７０】
情報提供部１３５は、登録機器情報を提供する際、ユーザ操作端末へと提供する登録機器情報を、ユーザ操作端末９で表示可能なデータ形式に変換した上で、変換後の情報を通信部１０３を介してユーザ操作端末９に提供することが好ましい。
【００７１】
例えば、ユーザ操作端末９がＷｅｂブラウザを利用可能な装置である場合には、情報提供部１３５は、Ｗｅｂブラウザを介して表示することが可能なデータ形式（例えば、ＨＴＭＬやＸＭＬ等の形式）に、ユーザに提供する情報を変換する。また、情報提供部１３５は、ユーザ操作端末９が各種の携帯機器やカーナビゲーションシステム等のように、ユーザ操作端末で使用可能なアプリケーションが限られる場合には、使用可能なアプリケーションの種類に応じて、そのデータ形式を変換する。
【００７２】
また、情報提供部１３５は、ユーザ操作端末９に対して行われたユーザ操作に応じて、ユーザ操作端末９に提供する登録機器情報の内容を変更することが可能である。
【００７３】
なお、情報提供部１３５は、ユーザ操作端末９だけでなく、通信網７に接続されている検索サーバ等の各種サーバや他の情報処理端末に対しても、蓄電装置２０に関する情報を提供することが可能である。情報提供部１３５は、他のサーバや情報処理端末に対して提供する蓄電装置２０の情報を適宜選択することが可能であるが、例えば、蓄電装置２０の設置位置を表す情報を提供することで、任意のサーバから蓄電装置２０の設置状況を確認することができる。
【００７４】
制御情報生成部１３７は、例えば、ＣＰＵ、ＲＯＭ、ＲＡＭ等により実現される。制御情報生成部１３７は、ユーザ操作端末９から送信された蓄電装置２０の動作に関する設定情報が記憶部１１１等の所定の箇所に格納されている場合に、格納されている設定情報を利用して、蓄電装置２０を制御するための制御情報を生成する。制御情報生成部１３７は、生成した制御情報を、該当する蓄電装置２０との間で移動体通信網３を利用した接続が確立されている際に、移動体通信部１０１を介して蓄電装置２０に送信する。
【００７５】
制御情報生成部１３７が生成する制御情報の種類は特に限定されるわけではなく、適宜設定すればよい。なお、本実施形態に係る蓄電装置管理システムでは、蓄電装置２０の設置位置を表す情報を情報処理装置１０は把握可能であるため、蓄電装置２０が稼働可能な領域を予め設定しておくことで、蓄電装置２０の盗難を防止することが可能となると考えられる。
【００７６】
制御情報生成部１３７は、蓄電装置２０を制御するための制御情報の生成処理を、任意のタイミングで実行することが可能である。例えば、制御情報生成部１３７は、かかる制御情報の生成を、設定情報が所定の箇所に格納された際に実行してもよく、該当する蓄電装置２０との間で接続が確立されている際に実行してもよい。
【００７７】
制御情報生成部１３７は、該当する蓄電装置２０に対して生成した制御情報を送信すると、情報管理部１３３に、登録機器情報の内容を制御情報に則した内容に更新するように要請することが好ましい。
【００７８】
以上、図６及び図７を参照しながら、本実施形態に係る蓄電装置管理部１０７の機能について詳細に説明した。以下では、再び図２に戻って、本実施形態に係る設定情報取得部１０９について説明する。
【００７９】
設定情報取得部１０９は、例えば、ＣＰＵ、ＲＯＭ、ＲＡＭ等により実現される。設定情報取得部１０９は、情報提供部１３５から情報の提供を受けているユーザ操作端末９において蓄電装置２０の設定変更画面が操作され、蓄電装置２０の動作設定が変更となった場合、変更後の動作設定が示す設定条件をユーザ操作端末９から取得する。設定情報取得部１０９は、ユーザ操作端末９から取得した設定条件を、設定情報として記憶部１１１の所定の箇所に格納する。蓄電装置管理部１０７の制御情報生成部１３７は、この設定情報を利用して、該当する蓄電装置２０との間で通信が確立されている際に、設定情報に基づいて生成された制御情報を蓄電装置２０に送信する。
【００８０】
記憶部１１１は、本実施形態に係る情報処理装置１０が備えるストレージ装置の一例である。記憶部１１１には、本実施形態に係る蓄電装置管理システムを利用するユーザに関するユーザ情報や、蓄電装置管理システムに接続されている蓄電装置に関する登録機器情報といった、各種のデータベースが格納される。また、記憶部１１１には、各種の履歴情報が記録されていてもよい。さらに、記憶部１１１には、本実施形態に係る情報処理装置１０が、何らかの処理を行う際に保存する必要が生じた様々なパラメータや処理の途中経過等、または、各種のデータベースやプログラム等が、適宜記録される。
【００８１】
この記憶部１１１は、情報処理装置１０が備える各処理部が自由に読み書きを行うことが可能である。
【００８２】
以上、本実施形態に係る情報処理装置１０の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【００８３】
なお、上述のような本実施形態に係る情報処理装置の各機能を実現するためのコンピュータプログラムを作製し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００８４】
なお、上述の説明では、本実施形態に係る情報処理装置１０に対して、まず、システムを利用するユーザに関する登録処理を行ったうえで、各ユーザに対して蓄電装置２０を関連付ける流れでの説明を行ったが、かかる場合に限定されるわけではない。例えば、本実施形態に係る情報処理装置１０に対して、まず、管理される蓄電装置２０を登録したうえで、それぞれの蓄電装置２０を利用可能なユーザを関連付けてもよい。
【００８５】
換言すれば、本実施形態に係る情報処理装置１０では、情報処理装置１０に登録されている蓄電装置２０と、当該蓄電装置２０に対して各種の操作を行うことが可能なユーザに関する情報とが、正確に関連付けられていればよく、関連付けに際しての処理の流れは問うものではない。
【００８６】
＜蓄電装置の構成について＞
次に、図８を参照しながら、本実施形態に係る蓄電装置の構成について、簡単に説明する。図８は、本実施形態に係る蓄電装置２０の構成を示したブロック図である。
【００８７】
本実施形態に係る蓄電装置２０は、図８に示したように、バッテリーＢ、移動体通信部２０１、バッテリー管理部２０３、電力供給制御部２０５、ＧＰＳデータ取得部２０７、ログ情報生成部２０９、制御情報取得部２１１、及び、記憶部２１３を主に備える。
【００８８】
バッテリーＢは、発電装置３０により発電された電力や電力供給網４０から供給された電力を蓄電するとともに、蓄電されている電力を電化製品や電気自動車等の電力利用機器５０に対して給電する。バッテリーＢの構成自体は特に限定するものではないが、バッテリーＢとして例えばＬｉイオンバッテリー等を利用することが可能である。
【００８９】
移動体通信部２０１は、ＣＰＵ、ＲＯＭ、ＲＡＭ、移動体通信網３と通信するためのモデム等により実現される。移動体通信部２０１は、蓄電装置２０と情報処理装置１０との間で行われる移動体通信網３を介した通信を制御する。本実施形態に係る蓄電装置２０が備える各処理部は、情報処理装置１０との間で情報のやりとりを行う場合、移動体通信部２０１を介して情報の送受信を行う。
【００９０】
ここで、移動体通信部２０１は、情報処理装置１０との間で情報のやりとりを行う場合には、蓄電装置２０側の移動体通信部２０１から情報処理装置１０側へと向かう方向で（蓄電装置側の移動体通信部２０１がイニシエータとなって）接続を確立する。これにより、移動体通信部２０１は、蓄電装置２０が情報送信に適した状態で情報処理装置１０との間で接続を確立することが可能となる。
【００９１】
なお、情報処理装置１０と蓄電装置２０との間では、先に説明したように、移動体通信網３を介して情報のやりとりが行われる。そこで、情報の送受信に要するパケット量や電力使用量を抑制するために、移動体通信部２０１は、様々な通信方法を利用することが可能である。
【００９２】
バッテリー管理部２０３は、例えば、ＣＰＵ、ＲＯＭ、ＲＡＭ、バッテリーＢの状態を把握するための各種センサ等により実現される。バッテリー管理部２０３は、蓄電装置２０が備えるバッテリーＢの状態を監視して、バッテリーＢの状態を把握する。また、バッテリー管理部２０３は、バッテリーＢの状態を把握することで得られた情報を利用して、バッテリーＢの機能低下やバッテリーＢの故障等を把握することが可能である。バッテリーＢの機能低下や故障等を把握するための方法は、例えば所定の閾値を利用した判断法や、ヒューリスティックな方法により生成した識別関数を利用する方法など、公知の方法を利用することが可能である。
【００９３】
バッテリー管理部２０３は、バッテリーＢの状態を把握することで得られた情報を後述するログ情報生成部２０９に出力して、本実施形態に係る情報処理装置１０に送信する。
【００９４】
また、バッテリー管理部２０３は、情報処理装置１０から送信された蓄電装置２０の制御情報に応じて、蓄電装置２０の動作に関する各種の設定情報を変更する。
【００９５】
更に、バッテリー管理部２０３は、以上説明したような機能の他に、蓄電装置２０を適式に動作させるために行われる各種の機能を実現することが可能である。
【００９６】
電力供給制御部２０５は、例えば、ＣＰＵ、ＲＯＭ、ＲＡＭ等により実現される。電力供給制御部２０５は、バッテリー管理部２０３からの指示に応じて、バッテリーＢに蓄電されている電力を、電化製品や電気自動車のような電力利用機器５０に供給する。また、蓄電装置２０が蓄電している電力の販売が認められている場合には、電力供給制御部２０５は、蓄電している電力を電力供給網４０を介して販売することも可能である。
【００９７】
ＧＰＳデータ取得部２０７は、例えば、ＣＰＵ、ＲＯＭ、ＲＡＭ、ＧＰＳ信号を受信するための各種センサ等により実現される。ＧＰＳデータ取得部２０７は、ＧＰＳ衛星から発信される複数の信号を受信することで、地球上の現在位置を表す位置情報を算出する。ＧＰＳデータ取得部２０７は、ＧＰＳ衛星から発信された信号に基づいて算出された現在位置に関する位置情報を、ＧＰＳデータとしてログ情報生成部２０９に出力する。ＧＰＳ衛星から発信される信号を受信するタイミングは特に限定されるわけではなく、任意のタイミングで実施されてよい。
【００９８】
ログ情報生成部２０９は、例えば、ＣＰＵ、ＲＯＭ、ＲＡＭ等により実現される。ログ情報生成部２０９は、ログ情報を情報処理装置１０に対して送信するタイミングになった際に、バッテリー管理部２０３及びＧＰＳデータ取得部２０７から取得した各種情報に基づいて、ログ情報を生成する。生成されるログ情報の内容は、例えば図７に示した通りである。ログ情報生成部２０９は、生成したログ情報を、移動体通信部２０１を介して情報処理装置１０に送信する。
【００９９】
ここで、ログ情報生成部２０９がログ情報を生成するタイミングは、蓄電装置２０が蓄電装置管理システムに初めて接続された場合のほかに、以下のようなタイミングが考えられる。
【０１００】
ログ情報が生成されるタイミング（システムに新たに接続された場合を除く）
・１時間、１日、１週間、１カ月など、所定の期間が経過する毎
・蓄電装置の動作モード（蓄電状態、放電状態、停止状態など）が変化する毎
・不測の事態が生じた場合（例えば、予期しない位置情報の変化や、バッテリーの故障などの緊急事態が生じた場合など）
【０１０１】
また、上記の場合に加えて、以下のような場合にも、ログ情報生成部２０９はログ情報を生成してもよい。
【０１０２】
・ユーザが蓄電装置２０に対して、移動体通信網３を介してショートメッセージや電話を発信したとき
・情報処理装置１０に設けられたモデム等から蓄電装置２０に対して、移動体通信網３を介してショートメッセージや電話が発信されたとき
・情報処理装置１０が中継サーバ５に対して、通信網７を介してＥメール等を発信し、中継サーバ５からログ情報の送信を要請されたとき
【０１０３】
制御情報取得部２１１は、例えば、ＣＰＵ、ＲＯＭ、ＲＡＭ等により実現される。制御情報取得部２１１は、情報処理装置１０に対して、自装置に対する制御情報が存在するか否かを問い合わせるとともに、情報処理装置１０から移動体通信網３を介して送信された、蓄電装置２０を制御するための制御情報を取得する。この制御情報の取得は、ログ情報生成部２０９が生成したログ情報を情報処理装置１０に送信するための移動体通信網３を介した接続が確立されている際に行われる。
【０１０４】
制御情報取得部２１１は、移動体通信部２０１を介して、情報処理装置１０から送信された制御情報を取得すると、取得した制御情報をバッテリー管理部２０３に出力する。バッテリー管理部２０３は、制御情報取得部２１１が出力した制御情報に基づいた蓄電装置２０の動作制御を行うことにより、ユーザの意図した蓄電装置２０の動作制御を実現することが可能となる。
【０１０５】
記憶部２１３は、本実施形態に係る蓄電装置２０が備えるストレージ装置の一例である。記憶部２１３には、蓄電装置２０が送信したログ情報そのものや、ログ情報の送信に関する履歴情報など、各種の情報が格納される。また、記憶部２１３には、本実施形態に係る蓄電装置２０が、何らかの処理を行う際に保存する必要が生じた様々なパラメータや処理の途中経過等、または、各種のデータベースやプログラム等が、適宜記録される。
【０１０６】
この記憶部２１３は、蓄電装置２０が備える各処理部が自由に読み書きを行うことが可能である。
【０１０７】
以上、本実施形態に係る蓄電装置２０の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【０１０８】
＜情報処理方法について＞
続いて、図９を参照しながら、本実施形態に係る情報処理方法の流れについて、簡単に説明する。図９は、本実施形態に係る情報処理方法の流れを示した流れ図である。
【０１０９】
なお、以下の説明に先立ち、本実施形態に係る蓄電装置管理システム１を利用するユーザに関するユーザ登録と、蓄電装置管理システム１に接続された蓄電装置２０の機器登録とが終了しているものとする。
【０１１０】
ユーザは、蓄電装置２０の動作状況を知りたいと考えた場合、保持しているユーザ操作端末９を操作して、通常のインターネット等を利用して、情報処理装置１０にユーザ操作端末９を接続させる（ステップＳ１０１）。すると、ユーザ操作端末９と情報処理装置１０との間で、所定のログイン処理が実施される（ステップＳ１０３）。このログイン処理は、本実施形態に係る蓄電装置管理システム１に独自のログイン処理であってもよく、公共の情報提供サーバや情報検索サーバ等のログイン処理を利用したものであってもよい。
【０１１１】
ログイン処理が終了して、ユーザ操作端末９を操作するユーザの正当性が確認できると、情報処理装置１０の情報提供部１３５は、記憶部１１１に格納されているデータベース（登録機器情報）を参照する。その後、情報提供部１３５は、ユーザが動作状態を把握したい蓄電装置２０の蓄電装置情報を、ユーザ操作端末９に適した形態で、ユーザ操作端末９に提供する（ステップＳ１０５）。
【０１１２】
また、ユーザが、ユーザ操作端末９を操作して蓄電装置２０の動作設定を指定する設定情報を変更した場合、ユーザ操作端末９は、変更後の設定情報を情報処理装置１０に送信する（ステップＳ１０７）。情報処理装置１０の設定情報取得部１０９は、ユーザ操作端末９から送信された設定情報を取得すると、取得した設定情報を記憶部１１１等の所定の箇所に格納する（ステップＳ１０９）。
【０１１３】
ユーザは、着目している蓄電装置２０に関する情報の閲覧が終了すると、ユーザ操作端末９を操作して、所定のログアウト処理を実施する（ステップＳ１１１）。これにより、ユーザ操作端末９と情報処理装置１０との間に確立された接続が解除されることとなる。
【０１１４】
その後、蓄電装置管理システム１に接続されている蓄電装置２０において、ログ情報を情報処理装置１０に対して送信するタイミングが到来すると、蓄電装置２０のログ情報生成部２０９は、送信するログ情報の生成を開始する（ステップＳ１２１）。この際、ログ情報生成部２０９は、バッテリー管理部２０３から、ログ情報の生成時におけるバッテリーの動作状況に関する情報といったログ情報に記載される情報を取得する。また、ログ情報生成部２０９は、ＧＰＳデータ取得部２０７から、蓄電装置２０の現在位置を表すＧＰＳデータ（位置情報）を取得する。ログ情報生成部２０９は、取得したこれらの情報と、どのような情報をログ情報に含めるかが設定された設定情報とに基づいて、情報処理装置１０に送信するログ情報を生成する。
【０１１５】
また、蓄電装置２０では、ログ情報生成部２０９がログ情報の生成を開始すると、情報処理装置１０との通信で用いられる移動体通信網３を介した接続の確立を開始する（ステップＳ１２３）。情報処理装置１０との間で行われる通信に用いるプロトコルは、適宜決定することが可能である。
【０１１６】
情報処理装置１０との間で接続が確立されると、蓄電装置２０は、情報処理装置１０に対して、メイン命令を送信するように要請する（ステップＳ１２５）。情報処理装置１０の蓄電装置管理部１０７は、蓄電装置２０に対して、ログ情報を送信するよう指示するメイン命令を送信する（ステップＳ１２７）。
【０１１７】
蓄電装置２０のログ情報生成部２０９は、情報処理装置１０から送信されたメイン命令（ログ情報を送信するよう指示するメイン命令）を受けて、生成したログ情報を情報処理装置１０に対して送信する（ステップＳ１２９）。
【０１１８】
情報処理装置１０のログ情報取得部１３１は、蓄電装置２０から送信されたログ情報の取得が完了すると、ログ情報の同期が完了した旨を蓄電装置２０に通知する（ステップＳ１３１）。また、情報処理装置１０の情報管理部１３３は、取得したログ情報に基づいて、記憶部１１１に格納されている登録機器情報の内容を更新する。
【０１１９】
また、蓄電装置２０の制御情報取得部２１１は、情報処理装置１０に対して、自装置に対する制御情報が存在するか否かを問合せ、制御情報が存在する場合には当該制御情報を送信するように要請する（ステップＳ１３３）。情報処理装置１０の蓄電装置管理部１０７は、接続が確立されている蓄電装置２０に対する制御情報が存在するか否かを確認し、そのような制御情報が存在する場合には、格納されている制御情報を蓄電装置２０に対して送信する（ステップＳ１３５）。蓄電装置２０の制御情報取得部２１１は、情報処理装置１０から送信された制御情報の受信が完了すると、受信が完了した旨を情報処理装置１０に通知する（ステップＳ１３７）。また、制御情報取得部２１１は、受信した制御情報をバッテリー管理部２０３に出力する。これによりバッテリー制御部２０３は、新たな制御情報に基づくバッテリーの制御を開始することができる。
【０１２０】
情報処理装置１０は、受信が完了した旨の通知を取得すると、蓄電装置２０との間で確立されている移動体通信網３を利用した接続の切断を開始する（ステップＳ１３９）。これにより、蓄電装置２０の側からイニシエートされた移動体通信網３を利用した接続が解消されることとなる。
【０１２１】
このように、本実施形態に係る情報処理方法によれば、蓄電装置２０の状態を参照することが可能なユーザは、ユーザ操作端末９を操作することで、蓄電装置２０の状態を場所を選ばずに確認することが可能となるとともに、蓄電装置２０の遠隔操作が可能となる。
【０１２２】
また、本実施形態に係る蓄電装置管理システム１では、情報処理装置１０と蓄電装置２０との間の通信は、移動体通信網３を介した接続により実現される。そのため、ユーザ操作によって設定された蓄電装置２０の制御情報は、該当する蓄電装置２０との間で接続が確立された際に蓄電装置２０へと送信される。他方、蓄電装置２０は、情報処理装置１０に対してログ情報を送信するタイミングで情報処理装置１０に格納されている制御情報を取得することが可能となるため、情報処理装置１０との間で接続を維持することはなく、通信に要する通信量やバッテリー消費量を抑制することができる。
【０１２３】
なお、上述の説明では、蓄電装置２０から情報処理装置１０に対して、移動体通信網３を介した接続をイニシエートする場合について説明したが、かかる移動体通信網３を介した接続は、情報処理装置１０側からイニシエートされたものであってもよい。
【０１２４】
＜情報提供画面の一例について＞
次に、図１０〜図１５を参照しながら、本実施形態に係る情報処理装置１０が提供する情報提供画面の一例について説明する。図１０〜図１５は、本実施形態に係る情報処理装置１０が提供する情報提供画面の一例を示した説明図である。
【０１２５】
蓄電装置管理システム１のユーザがユーザ操作端末９を操作して情報処理装置１０に接続すると、例えば図１０に示したような表示画面（情報提供画面）が、ユーザ操作端末９のディスプレイ等の表示部に表示される。
【０１２６】
情報提供画面には、図１０に示したように、ユーザが情報を閲覧する権限を有している蓄電装置２０に関する情報が記載されている。図１０に示した情報提供画面は、新着レポートの一覧を表示する領域と、動作状態が変更となった蓄電装置に関する新着動作レポートが表示される領域と、その他ユーザに対する連絡が表示される領域とが形成されている。ユーザに対する連絡の一例として、図１０では、位置情報が変化した蓄電装置に関する情報や、緊急事態が発生した蓄電装置に関する情報が記載される「お知らせ」欄と、ユーザに対して一般的なメッセージを表示する「メッセージ」欄とが設けられている。
【０１２７】
また、情報提供画面には、これらの表示領域の他に、ＧＰＳデータに基づく蓄電装置の所在位置を示した表示領域や、蓄電装置に搭載されているＷｅｂカメラの撮像画像の表示領域や、蓄電装置に関してユーザ間で行われたコメントの表示領域が設けられている。このコメントの表示領域には、例えば、蓄電装置２０に関するメンテナンス情報等が表示される。
【０１２８】
ユーザは、このような情報提供画面を参照することで、ユーザが権限を有する蓄電装置２０に関する情報を、ユーザが望むタイミングで容易に把握することができる。
【０１２９】
また、ユーザは、ユーザ操作端末９を操作することで、図１１に示したような表示画面を表示させることも可能である。図１１に示した情報提供画面は、蓄電装置２０の所在位置を地図上で図示したものであり、地図上に存在するフラグを選択することで、該当する蓄電装置２０の詳細なスペックを表示させることができる。また、ユーザは、バッテリー形式、連続動作時間、動作モード、搭載機能等の条件を設定することで、設定された条件に合致する蓄電装置のみを選択して表示させることも可能である。
【０１３０】
更に、ユーザは、ユーザ操作端末９を操作することで、図１２に示したような表示画面を表示させることも可能である。図１２に示したようなテキストを中心とした情報提供画面は、ユーザ操作端末９が携帯電話やブックリーダー等のテキストを中心とした表示に適した装置である場合に、有効な情報提供手段となる。
【０１３１】
また、ユーザは、ユーザ操作端末９を操作することで、図１３に示したような情報提供画面を表示させることも可能である。図１３は、ユーザがある蓄電装置２０を選択した場合に表示される情報提供画面の一例である。図１３に示したように、ある蓄電装置が選択されると、選択された蓄電装置の詳細なスペックや、動作モードの推移を表すログ情報や、発電量及び電力使用量の推移を表すログ情報や、蓄電量の推移を表すログ情報が、それぞれの表示領域に表示される。また、発電量及び電力使用量の推移を表すログ情報など、グラフ化した方が情報の把握に効果的であるものは、図１３に示したように、グラフ化されて表示される。ユーザは、このような表示画面を参照することで、特定の蓄電装置の動作状態を、容易に把握することが可能となる。
【０１３２】
このような情報提供画面は、情報処理装置１０の蓄電装置管理部１０７（より詳細には、情報提供部１３５）が主に機能することによって、ユーザ操作端末９上で生成される。
【０１３３】
また、ユーザは、ユーザ操作端末９を操作して図１４に示したような設定画面を表示させることで、蓄電装置２０の動作制御を遠隔地から行うことも可能である。図１４に示した設定画面では、蓄電装置を遠隔地から操作するための操作内容が表示される表示領域と、蓄電装置のメンテナンスを行うための内容が表示される表示領域と、緊急時の動作を規定するための内容が表示される表示領域とが設けられている。
【０１３４】
例えば、ユーザは、蓄電装置を遠隔地から操作するための操作内容が表示された表示領域を操作することで、蓄電装置に対する遠隔操作を実現することができる。図１４に示した例では、蓄電装置自体の電源の切り替え、蓄電装置に接続されている電力利用機器への給電設定、充電動作や給電操作のオン・オフ、給電方式（ＤＣ／ＡＣの切り替えや、電流・電圧値の設定など）の変更等を実現することができる。
【０１３５】
また、メンテナンスを行うための内容が表示される表示領域では、蓄電装置の再起動や、蓄電装置の自己診断処理の開始や、蓄電装置内で動作している各種ソフトウェアのアップデート処理等を指示することができる。
【０１３６】
更に、緊急時の動作を規定するための表示領域では、蓄電装置の緊急停止を指示したり、盗難時にサイレンを鳴らすなどといった、盗難に対する対策モードを実施するか否かを設定したりすることができる。
【０１３７】
また、ユーザは、ユーザ操作端末９を操作して、図１５に示したような設定画面を表示させることで、蓄電装置２０の設定自体を遠隔地から変更することも可能である。図１５に示した設定画面では、ログ情報（レポート）を情報処理装置１０に送信する頻度を規定する表示領域と、ログ情報（レポート）に含める各種情報を選択するための表示領域と、イベントの設定を行うための表示領域と、動作スケジュールを設定するための表示領域と、盗難時の対応を規定するための表示領域とが設けられている。
【０１３８】
ユーザは、ログ情報送信の頻度を規定するための表示領域を操作することで、情報処理装置１０にログ情報を送信する頻度を設定することができる。また、ユーザは、ログ情報に含める各種情報を選択するための表示画面を操作することで、蓄電装置に送信するログ情報の内容（ひいては、ユーザ自身が情報提供画面で確認可能となる情報の内容）を規定することができる。これらの内容を変更することで、ユーザは、ログ情報の送信に関連する通信量やバッテリー消費量を、自由にカスタマイズすることが可能となる。
【０１３９】
また、ユーザは、イベント設定のための表示領域を操作することで、どういう場合にログ情報を送信するのかといったイベント設定を変更することが可能となる。また、ユーザは、動作スケジュールを設定するための表示領域を操作することで、１日の間でどの時間帯に充電（又は放電）を行うのか、といった動作スケジュールを設定することができる。また、ユーザは、盗難時の対応を規定するための表示領域を操作することで、どのような場合に蓄電装置が自動的に動作を停止するのか、といった設定や、どのような場合にアラート（警告）を発砲するのか、といった設定を行うことが可能である。
【０１４０】
図１４及び図１５に示したような設定画面は、情報処理装置１０の蓄電装置管理部１０７（より詳細には、情報提供部１３５）が主に機能することによって、ユーザ操作端末９上で生成される。また、これらの設定画面で設定された内容を示す情報は、情報処理装置１０の設定情報取得部１０９が取得して、制御情報生成部１３７へと出力される。
【０１４１】
以上、図１０〜図１５を参照しながら、本実施形態に係る情報処理装置１０が提供する情報提供画面の一例について説明した。
【０１４２】
（ハードウェア構成について）
次に、図１６を参照しながら、本発明の実施形態に係る情報処理装置１０のハードウェア構成について、詳細に説明する。図１６は、本発明の実施形態に係る情報処理装置１０のハードウェア構成を説明するためのブロック図である。
【０１４３】
情報処理装置１０は、主に、ＣＰＵ９０１と、ＲＯＭ９０３と、ＲＡＭ９０５と、を備える。また、情報処理装置１０は、更に、ホストバス９０７と、ブリッジ９０９と、外部バス９１１と、インターフェース９１３と、入力装置９１５と、出力装置９１７と、ストレージ装置９１９と、ドライブ９２１と、接続ポート９２３と、通信装置９２５とを備える。
【０１４４】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って、情報処理装置１０内の動作全般またはその一部を制御する。ＲＯＭ９０３は、ＣＰＵ９０１が使用するプログラムや演算パラメータ等を記憶する。ＲＡＭ９０５は、ＣＰＵ９０１が使用するプログラムや、プログラムの実行において適宜変化するパラメータ等を一次記憶する。これらはＣＰＵバス等の内部バスにより構成されるホストバス９０７により相互に接続されている。
【０１４５】
ホストバス９０７は、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９１１に接続されている。
【０１４６】
入力装置９１５は、例えば、マウス、キーボード、タッチパネル、ボタン、スイッチおよびレバーなどユーザが操作する操作手段である。また、入力装置９１５は、例えば、赤外線やその他の電波を利用したリモートコントロール手段（いわゆる、リモコン）であってもよいし、情報処理装置１０の操作に対応した携帯電話やＰＤＡ等の外部接続機器９２９であってもよい。さらに、入力装置９１５は、例えば、上記の操作手段を用いてユーザにより入力された情報に基づいて入力信号を生成し、ＣＰＵ９０１に出力する入力制御回路などから構成されている。情報処理装置１０のユーザは、この入力装置９１５を操作することにより、情報処理装置１０に対して各種のデータを入力したり処理動作を指示したりすることができる。
【０１４７】
出力装置９１７は、取得した情報をユーザに対して視覚的または聴覚的に通知することが可能な装置で構成される。このような装置として、ＣＲＴディスプレイ装置、液晶ディスプレイ装置、プラズマディスプレイ装置、ＥＬディスプレイ装置およびランプなどの表示装置や、スピーカおよびヘッドホンなどの音声出力装置や、プリンタ装置、携帯電話、ファクシミリなどがある。出力装置９１７は、例えば、情報処理装置１０が行った各種処理により得られた結果を出力する。具体的には、表示装置は、情報処理装置１０が行った各種処理により得られた結果を、テキストまたはイメージで表示する。他方、音声出力装置は、再生された音声データや音響データ等からなるオーディオ信号をアナログ信号に変換して出力する。
【０１４８】
ストレージ装置９１９は、情報処理装置１０の記憶部の一例として構成されたデータ格納用の装置である。ストレージ装置９１９は、例えば、ＨＤＤ（Ｈａｒｄ  Ｄｉｓｋ  Ｄｒｉｖｅ）等の磁気記憶部デバイス、半導体記憶デバイス、光記憶デバイス、または光磁気記憶デバイス等により構成される。このストレージ装置９１９は、ＣＰＵ９０１が実行するプログラムや各種データ、および外部から取得した各種データなどを格納する。
【０１４９】
ドライブ９２１は、記録媒体用リーダライタであり、情報処理装置１０に内蔵、あるいは外付けされる。ドライブ９２１は、装着されている磁気ディスク、光ディスク、光磁気ディスク、または半導体メモリ等のリムーバブル記録媒体９２７に記録されている情報を読み出して、ＲＡＭ９０５に出力する。また、ドライブ９２１は、装着されている磁気ディスク、光ディスク、光磁気ディスク、または半導体メモリ等のリムーバブル記録媒体９２７に記録を書き込むことも可能である。リムーバブル記録媒体９２７は、例えば、ＤＶＤメディア、ＨＤ−ＤＶＤメディア、Ｂｌｕ−ｒａｙメディア等である。また、リムーバブル記録媒体９２７は、コンパクトフラッシュ（登録商標）（ＣｏｍｐａｃｔＦｌａｓｈ：ＣＦ）、フラッシュメモリ、または、ＳＤメモリカード（Ｓｅｃｕｒｅ  Ｄｉｇｉｔａｌ  ｍｅｍｏｒｙ  ｃａｒｄ）等であってもよい。また、リムーバブル記録媒体９２７は、例えば、非接触型ＩＣチップを搭載したＩＣカード（Ｉｎｔｅｇｒａｔｅｄ  Ｃｉｒｃｕｉｔ  ｃａｒｄ）または電子機器等であってもよい。
【０１５０】
接続ポート９２３は、機器を情報処理装置１０に直接接続するためのポートである。接続ポート９２３の一例として、ＵＳＢ（Ｕｎｉｖｅｒｓａｌ  Ｓｅｒｉａｌ  Ｂｕｓ）ポート、ＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）ポート等がある。接続ポート９２３の別の例として、ＲＳ−２３２Ｃポート、光オーディオ端子、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ポート等がある。この接続ポート９２３に外部接続機器９２９を接続することで、情報処理装置１０は、外部接続機器９２９から直接各種のデータを取得したり、外部接続機器９２９に各種のデータを提供したりする。
【０１５１】
通信装置９２５は、例えば、通信網９３１に接続するための通信デバイス等で構成された通信インターフェースである。通信装置９２５は、例えば、有線または無線ＬＡＮ（Ｌｏｃａｌ  Ａｒｅａ  Ｎｅｔｗｏｒｋ）、Ｂｌｕｅｔｏｏｔｈ（登録商標）、またはＷＵＳＢ（Ｗｉｒｅｌｅｓｓ  ＵＳＢ）用の通信カード等である。また、通信装置９２５は、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、または、各種通信用のモデム等であってもよい。この通信装置９２５は、例えば、インターネットや他の通信機器との間で、例えばＴＣＰ／ＩＰ等の所定のプロトコルに則して信号等を送受信することができる。また、通信装置９２５に接続される通信網９３１は、有線または無線によって接続されたネットワーク等により構成され、例えば、インターネット、家庭内ＬＡＮ、赤外線通信、ラジオ波通信または衛星通信等であってもよい。
【０１５２】
以上、本発明の実施形態に係る情報処理装置１０の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【０１５３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１５４】
１    蓄電装置管理システム
３    移動体通信網
５    中継サーバ
７    通信網
９    ユーザ操作端末
１０    情報処理装置
２０    蓄電装置
３０    発電装置
４０    電力供給網
５０    電力利用機器
１０１    移動体通信部
１０３    通信部
１０５    登録部
１０７    蓄電装置管理部
１０９    設定情報取得部
１１１    記憶部
１２１    ユーザ登録部
１２３    蓄電装置登録部
１３１    ログ情報取得部
１３３    情報管理部
１３５    情報提供部
１３７    制御情報生成部
２０１    移動体通信部
２０３    バッテリー管理部
２０５    電力供給制御部
２０７    ＧＰＳデータ取得部
２０９    ログ情報生成部
２１１    制御情報取得部
２１３    記憶部
【図１】
0005609267.tif 000002
【図２】
0005609267.tif 000003
【図３】
0005609267.tif 000004
【図４】
0005609267.tif 000005
【図５】
0005609267.tif 000006
【図６】
0005609267.tif 000007
【図７】
0005609267.tif 000008
【図８】
0005609267.tif 000009
【図９】
0005609267.tif 000010
【図１０】
0005609267.tif 000011
【図１１】
0005609267.tif 000012
【図１２】
0005609267.tif 000013
【図１３】
0005609267.tif 000014
【図１４】
0005609267.tif 000015
【図１５】
0005609267.tif 000016
【図１６】
0005609267.tif 000017